(57)【特許請求の範囲】
【請求項１】
面板が、その一辺に嵌着された緩衝部材と共に、枠に設けられた凹溝に嵌め込まれ、前記緩衝部材が凹溝の内面に弾接することによって凹溝と面板との隙間を埋めるように構成された枠に嵌め込まれる面板の固定構造であって、
前記緩衝部材は、弾性変形容易な軟質のゴム又はプラスチック製で、かつ断面略Ｃ字状のチューブ材であり、しかも前記面板の一辺を受け入れる開口は、刃物で切り裂いて形成されるもので、面板の厚さより幅が狭くかつ面板の一辺の受け入れ時に弾性で拡開し、面板の一辺を受け入れると面板の表裏を挟み包むように構成されているとともに、前記緩衝部材は面板と共に容易に取り外し可能に構成されていることを特徴とする枠に嵌め込まれる面板の固定構造。
【発明の詳細な説明】
【０００１】
【発明の属する技術分野】
本発明は、一般住宅やその他の建物に於いて使用されるドア・窓等の枠に嵌め込まれる面板の固定構造に関する。
【０００２】
【従来の技術】
一般住宅やその他の建物に一般的に使用されるドア・窓等の枠に嵌め込まれるガラス板等の面板の固定は、従来次のように行われている。
【０００３】
その一つは、図５に示すように、枠１０の内周側に形成されたくぼみ１５にガラス板等の面板２０の端縁部分が嵌め込まれ、その面板２０の端縁部分が嵌め込まれたくぼみ１５の残り部分を埋めるように面縁３０が嵌め込まれ、その面縁３０が枠１０へ木ネジＤで固定されることによって、面板２０が枠１０と面縁３０とによって形成される溝Ｍ内に保持、固定されるよう構成されている。
【０００４】
そのため、面板２０が破損・汚損した場合、それを固定する木ネジＤ、面縁３０の取り外しだけで面板２０を容易に交換可能である。しかしながら、図に示すように、面板２０と枠１０，面縁３０との間には隙間が生じ、面板２０ががたつくという問題点がある。
【０００５】
次は、上記従来例の構成に加えて、図６に示すように、面板２０と枠１０、面縁３０との隙間にコーキングＣが施されたものであって、面板２０固定の強度が増し、がたつきが解消されるという点では効果はあるが、コーキングＣは除去が困難なため、面板２０の交換が困難になるだけでなく、コーキングＣに伴う種々の問題点、例えばかなりの養生時間が必要あること、その際の有機溶剤の蒸発に伴う作業者の健康障害、それのはみ出し等による外観悪化等がある。
【０００６】
３番目は、コーキングに替えて、図７に示すように、前記隙間に、ゴム又はプラスチック製の線状パッキンＰが充填されたものであって、上記コーキング使用の問題点は解消されるが、それに伴うパッキンＰの面板２０の端縁部分への粘着テープ（図示省略）の貼り付け作業が煩瑣であり、面板２０の板厚の変化に応じて厚みの異なるパッキンが必要であるという問題点がある。その他、面板２０の端縁部分への直接ゴム状緩衝材の塗布によるがたつき防止も考えられるが、それには専用の塗布装置が必要である。
【０００７】
４番目は、実開昭５６−９１８８６号に記載のものであって、図示は省略するが、ガラスである面板がその端縁に嵌着されたコ字状のグレージングチャンネル（シール部材）と共に凹溝に挿入され、さらに両者の間に水切り用凹条・凸条が設けられている。
しかしながら、これは本発明とは目的も異なり、構造が複雑であって、それだけ高価で脱着も煩瑣であると推察される。
【０００８】
【発明が解決しようとする課題】
そこで本発明の目的とするところは、上記従来例の欠点を解消した、面板の脱着が容易で、そのがたつきも少ない、枠に嵌め込まれる面板の固定構造を提供することにある。
【０００９】
【課題を解決するための手段】
上記の目的を達するために、請求項１の発明の枠に嵌め込まれる面板の固定構造は、面板（２０）が、その一辺に嵌着された緩衝部材（５０）と共に、枠（１０）に設けられた凹溝（Ｍ）に嵌め込まれ、緩衝部材（５０）が凹溝（Ｍ）の内面に弾接することによって凹溝（Ｍ）と面板（２０）との隙間を埋めるように構成されたものであって、
前記緩衝部材（５０）は、弾性変形容易な軟質のゴム又はプラスチック製で、かつ断面略Ｃ字状のチューブ材であり、しかも前記面板（２０）の一辺を受け入れる開口（５１）は、刃物で切り裂いて形成されるもので、面板（２０）の厚さより幅が狭くかつ面板（２０）の一辺の受け入れ時に弾性で拡開し、面板（２０）の一辺を受け入れると面板（２０）の表裏を挟み包むように構成されているとともに、前記緩衝部材（５０）は面板（２０）と共に容易に取り外し可能に構成されていることを特徴とするものである。
【００１０】
なお、括弧内の記号は後述する発明の実施の形態及び図面に記載された記号に対応する。
【００１１】
本発明によれば、緩衝部材の形状は単純で、弾性変形容易であるため、面板に嵌着容易である。よって、予め緩衝部材を嵌着した後、面板を凹溝に容易に嵌め込むことができる。また、その弾性変形容易な緩衝部材によって面板の表面及び凹溝の内面との隙間が埋められるため面板のがたつきが生じない。
【００１２】
しかも、緩衝部材は面板と共に容易に取り外し可能であるため、面板の交換も極めて容易である。さらに面板の一辺を受け入れる開口は、面板の厚さより幅が狭くかつ面板の一辺の受け入れ時に弾性で拡開するように柔軟性を有しているため、緩衝部材を多種類準備する必要はなく、１種類でも可能である。
【００１３】
そのうえ、上述のように形状が極めて単純であるので、製作容易でコストが低い。なお、特別に準備する必要がなく、適当なサイズの市販の軟質チューブさえあれば、刃物で縦に切り裂き開口を形成することによって、容易に対応可能である。
【００１４】
【発明の実施の形態】
本発明の第１の実施の形態例について、図面を参照して説明すると、図１はドアの枠の溝に嵌め込まれた面板の固定構造の一部を示す断面図、図２は面板に緩衝部材が嵌着された状態の一部を示す斜視図、図３は緩衝部材の別の実施態様を示す斜視図である。
【００１５】
本発明の枠に嵌め込まれる面板の固定構造は、緩衝部材５０が介在していることを除けば、基本的には、従来例同様であって、先ず枠１０の内周側にガラス板等の面板２０の端縁部分が嵌め込まれる、くぼみ１５が形成されている。そのくぼみ１５に前記面板２０の端縁部分が嵌め込まれた後のくぼみ１５の残り部分には面縁３０が嵌め込まれ、さらに、その面縁３０が枠１０へ木ネジＤで固定されることによって、面板２０が枠１０と面縁３０とによって形成される凹溝Ｍ内に保持、固定される。
【００１６】
面板２０と共に凹溝Ｍに嵌め込まれる緩衝部材５０について説明すると、軟質のゴム又はプラスチック製であって、弾性変形容易であり、且つ断面略Ｃ字状になるよう、長手方向に延びたチューブ材からなる。面板２０の一辺を受け入れる開口５１は、面板２０の厚さより幅が狭く形成され、その開口５１から前記面板２０の一部を受け入れると、開口５１が弾性により拡開するようになっている。面板２０の一辺を受け入れると、緩衝部材５０は面板２０の表裏を挟み、包む（嵌着される）ように構成されている。
【００１７】
なお、緩衝部材の別の実施態様としては、図３に示すように、断面略コ字状で、その開口１５１の幅が基部のそれよりも小さくなったものでもよい。
【００１８】
作用について説明すると、面板２０の少なくとも一辺が、その一辺に上述のように予め嵌着された緩衝部材５０と共に、枠１０のくぼみ１５に嵌め込まれ、さらに、くぼみ１５の残り部分には面縁３０が嵌め込まれたうえ、その面縁３０が枠１０へ木ネジＤで固定されることによって、面板２０は緩衝部材５０と共に枠１０と面縁３０とによって形成される凹溝Ｍ内に保持、固定される。しかも、緩衝部材５０は、面板２０と共に枠１０の凹溝Ｍへの嵌め込まれた状態で、容易に弾性変形し、面板２０の表面及び凹溝Ｍの内面と弾接・密着するため、面板２０のがたつきが生じない。
【００１９】
次に第２の実施の形態例について図４により説明すると、枠１１０を構成する上框１１２に面板２０を挿通可能なスリットＳが設けられると共に、縦框１１１、下框１１３にそれぞれ面板２０の嵌め込み可能な凹溝Ｍが設けられており、面板２０が、各辺に予め嵌着された緩衝部材５０と共に、スリットＳを経て、各凹溝Ｍに嵌め込まれることが可能に構成されている。
【００２０】
以上のように構成されることによって、第１の実施の形態例の作用効果に加えて、緩衝部材が弾性変形容易であるため、それが予め嵌着された面板のスリットＳ及び凹溝Ｍへの嵌め込みが容易である。それによって面縁や木ネジが不要となり、面縁のずれや木ネジの頭部の露出もなく、外観が著しく向上する。さらに、面板２０の交換も、上框１１２のスリットＳを通じて行われるため、木ネジ、面縁の取り外しも不要となり、交換のための作業が著しく簡略化される。
【００２１】
【発明の効果】
以上のとおり本発明によれば、面板の凹溝への嵌め込みが著しく容易であり、しかもがたつきを生じない。また、面板の交換も極めて容易である。さらに、面板の板厚の変化に応じて開口幅は柔軟に伸縮するため、多種類準備する必要はなく、１種類でよい。
そのうえ、上述のように形状が極めて単純であるので、製作容易でコストが低い。
【図面の簡単な説明】
【図１】本発明の第１の実施の形態例の一部を示す断面図である。
【図２】図１の面板に緩衝部材が嵌着された状態の一部を示す斜視図である。
【図３】本発明の第１の実施の形態例の緩衝部材の別の態様を示す斜視図である。
【図４】本発明の第２の実施の形態例の一部を示す断面図である。
【図５】従来例の一部を示す断面図である。
【図６】２番目の従来例の一部を示す断面図である。
【図７】３番目の従来例の一部を示す断面図である。
【符号の説明】
１０  枠
１５  くぼみ
２０  面板
３０  面縁
５０  緩衝部材
５１  開口
１１０  枠
１１１  縦框
１１２  上框
１１３  下框
１５０  緩衝部材
１５１  開口
Ｃ    コーキング
Ｄ    木ネジ
Ｍ    凹溝
Ｐ    パッキン
Ｓ    スリット
【図１】
0003739671.tif 000002
【図２】
0003739671.tif 000003
【図３】
0003739671.tif 000004
【図４】
0003739671.tif 000005
【図５】
0003739671.tif 000006
【図６】
0003739671.tif 000007
【図７】
0003739671.tif 000008